【手続補正書】
【提出日】平成27年5月13日(2015.5.13)
【手続補正１】
【補正対象書類名】特許請求の範囲
【補正対象項目名】全文
【補正方法】変更
【補正の内容】
【特許請求の範囲】
【請求項１】
指定された医療処置用のインプラントの互換性を検証する方法であって、
複数のインプラントのそれぞれの製品利用情報であって前記複数のインプラントのそれぞれに対応付けられたそれぞれの体の部位を指定する前記製品利用情報を含む格納された情報を維持することと、
インプラントを識別するデータを、前記指定された医療処置中に受信することと、
前記指定された医療処置に対応付けられた体の部位を識別する第２のデータを受信することと、
前記データ、前記第２のデータ、及び前記格納された情報に基づいて、前記インプラントの互換性を、前記指定された医療処置中に判断することと、を含む、方法。
【請求項２】
請求項１に記載の方法であって、前記インプラントを識別するデータを受信することは、
前記インプラントに対応付けられたバーコードを検出することを更に含み、
前記方法が、
前記バーコード及び前記格納された情報に基づいて前記インプラントを識別することを更に含む。
【請求項３】
請求項１に記載の方法であって、前記製品利用情報は、前記インプラントが第２のインプラントと互換性があるか否かを示す第２の情報を含み、前記方法が、
前記第２のインプラントを識別する第３のデータを、前記指定された医療処置中に受信することと、
前記データ、前記第３のデータ、及び前記第２の情報に基づいて、前記インプラントが前記第２のインプラントと互換性があるか否かを、前記指定された医療処置中に判断することと、を更に含む。
【請求項４】
請求項３に記載の方法であって、前記第２の情報は、格納されたルールを含む。
【請求項５】
請求項１に記載の方法であって、前記製品利用情報は、前記インプラントのリコールが発行されたか否かを示すリコール情報を含み、前記方法は、
前記データ及び前記リコール情報に基づいて、前記インプラントのリコールが発行されたことを、前記指定された医療処置中に判断することを更に含む。
【請求項６】
請求項１に記載の方法であって、前記製品利用情報は、前記インプラントの有効期日が過ぎたか否かを示す有効期限情報を含み、前記方法が、
前記データ及び前記有効期限情報に基づいて、前記インプラントの前記有効期日が過ぎたことを前記指定された医療処置中に判断することを更に含む。
【請求項７】
請求項１に記載の方法であって、
前記インプラントに対応付けられた格納されたルールにアクセスすることを更に含み、
前記インプラントの互換性を判断することは、前記ルールに基づいて、前記インプラントの互換性を判断すること、を更に含む。
【請求項８】
内部に格納されたプログラム命令を有するコンピュータ可読媒体であって、前記プログラム命令はプロセッサによる実行に応答して、前記プロセッサに、
複数のインプラントのそれぞれの製品利用情報であって前記複数のインプラントのそれぞれに対応付けられたそれぞれの体の部位を指定する前記製品利用情報を含む格納された情報を維持することと、
インプラントを識別するデータを、指定された医療処置中に受信することと、
前記指定された医療処置に対応付けられた体の部位を識別する第２のデータを受信することと、
前記データ、前記第２のデータ、及び前記格納された情報に基づいて、前記インプラントの互換性を、前記指定された医療処置中に判断することと、を含む、動作を行わせるコンピュータ可読媒体。
【請求項９】
請求項８に記載のコンピュータ可読媒体であって、前記動作が、
前記インプラントに対応付けられたバーコードを検出することと、
前記バーコード及び前記格納された情報基づいて前記インプラントを識別することを更に含む。
【請求項１０】
請求項８に記載のコンピュータ可読媒体であって、前記製品利用情報は、前記インプラントが第２のインプラントと互換性があるか否かを示す第２の情報を含み、前記動作が、
前記第２のインプラントを識別する第３のデータを、前記指定された医療処置中に受信することと、
前記データ、前記第３のデータ、及び前記第２の情報に基づいて、前記インプラントが前記第２のインプラントと互換性があるか否かを、前記指定された医療処置中に判断することと、を更に含む。
【請求項１１】
請求項１０に記載のコンピュータ可読媒体であって、前記第２の情報は、格納されたルールを含む。
【請求項１２】
請求項８に記載のコンピュータ可読媒体であって、前記製品利用情報は、前記インプラントのリコールが発行されたか否かを示すリコール情報を含み、前記動作は、
前記データ及び前記リコール情報に基づいて、前記インプラントのリコールが発行されたことを、前記指定された医療処置中に判断することを更に含む。
【請求項１３】
請求項８に記載のコンピュータ可読媒体であって、前記製品利用情報は、前記インプラントの有効期日が過ぎたか否かを示す有効期限情報を含み、前記動作は、
前記データ及び前記有効期限情報に基づいて、前記インプラントの前記有効期日が過ぎたことを前記指定された医療処置中に判断することを更に含む。
【請求項１４】
請求項８に記載のコンピュータ可読媒体であって、前記動作は、前記インプラントに対応付けられた格納されたルールにアクセスすることを更に含み
前記インプラントの互換性を判断することは、前記ルールに基づいて、前記インプラントの互換性を判断すること、を更に含む。
【請求項１５】
システムであって、
複数のインプラントのそれぞれの製品利用情報であって前記複数のインプラントのそれぞれに対応付けられたそれぞれの体の部位を指定する前記製品利用情報を含む情報を格納する第１のメモリと、
スキャナと、
コンピュータプログラム命令を格納する第２のメモリと、
前記第２のメモリと通信可能に結合したプロセッサであって、前記プロセッサ上で実行されるときに、前記プロセッサに、
インプラントを識別するデータを、前記スキャナから、指定された医療処置中に受信することと、
前記インプラントに関連する選択された情報を前記第１のメモリから検索することと、
前記指定された医療処置に対応付けられた体の部位を識別する第２のデータを受信することと、
前記データ、前記第２のデータ、及び前記選択された情報に基づいて、前記インプラントの互換性を、前記指定された医療処置中に判断することと、を含む、動作を行わせる、前記コンピュータプログラム命令を実行するように構成された、前記プロセッサと、を備える、システム。
【請求項１６】
請求項１５に記載のシステムであって、前記インプラントを識別するデータを受信することは、
前記インプラントに対応付けられたバーコードを検出することと、
前記バーコードに基づいて、前記インプラントを識別することと、を更に含む。
【請求項１７】
請求項１５に記載のシステムであって、前記製品利用情報は、前記インプラントが第２のインプラントと互換性があるか否かを示す第２の情報を含み、前記動作は、
前記第２のインプラントを識別する第３のデータを、前記指定された医療処置中に受信することと、
前記データ、前記第３のデータ、及び前記第２の情報に基づいて、前記インプラントが前記第２のインプラントと互換性があるか否かを、前記指定された医療処置中に判断することと、を更に含む。
【請求項１８】
請求項１５に記載のシステムであって、前記製品利用情報は、前記インプラントのリコールが発行されたか否かを示すリコール情報を含み、前記動作は、
前記データ及び前記リコール情報に基づいて、前記インプラントのリコールが発行されたことを、前記指定された医療処置中に判断することを更に含む。
【請求項１９】
請求項１５に記載のシステムであって、前記製品利用情報は、前記インプラントの有効期日が過ぎたか否かを示す有効期限情報を含み、前記動作は、
前記データ及び前記有効期限情報に基づいて、前記インプラントの前記有効期日が過ぎたことを前記指定された医療処置中に判断することを更に含む。
【請求項２０】
請求項１５に記載のシステムであって、前記動作は、
前記インプラントに対応付けられた格納されたルールにアクセスすることを更に含み、
前記インプラントの互換性を判断することは、前記ルールに基づいて、前記インプラントの互換性を判断すること、を更に含む。
【手続補正２】
【補正対象書類名】明細書
【補正対象項目名】発明の名称
【補正方法】変更
【補正の内容】
【発明の名称】医療処置用のインプラントの互換性を判断するシステム及び方法